(57)【要約】      （修正有）【課題】使用勝手を向上させたパスタ計量器を提供する。【解決手段】パスタ計量器１は、中心から外側に向かう形状部を複数備え、且つ、扁平形状を有したパスタ計量器本体１０と、このパスタ計量器本体１０の中心から外側に向かう形状部の先端は、それぞれ手で持つ持ち手部１１、１２、１３が形成され、この持ち手部１１、１２、１３内には、パスタの量を調節できる穴１１ａ、１２ａ、１３ａがそれぞれ形成され、持ち手部１１、１２、１３内の穴１１ａ、１２ａ、１３ａは、それぞれ大きさが異なるものである。【選択図】図１
0003146363.tif 000002
【実用新案登録請求の範囲】
【請求項１】
中心から外側に向かう形状部を複数備え、且つ、扁平形状を有したパスタ計量器本体と、
このパスタ計量器本体の中心から外側に向かう形状部の先端は、それぞれ手で持つ持ち手部が形成され、
この持ち手部内には、パスタの量を調節できる穴がそれぞれ形成され、
前記持ち手部内の穴は、それぞれ大きさが異なる
ことを特徴とするパスタ計量器。
【請求項２】
中心から外側に向かう形状部を複数備え、且つ、扁平形状を有したパスタ計量器本体と、
このパスタ計量器本体の中心から外側に向かう形状部の先端は、それぞれ手で持つ持ち手部が形成され、
この持ち手部内には、パスタの量を調節できる穴がそれぞれ形成され、
前記持ち手部内の穴は、それぞれ大きさが異なり、
前記パスタの挿入側の全ての前記穴の周縁部の下端部は、前記周縁部の略全体に亘って丸味を有している
ことを特徴とするパスタ計量器。
【請求項３】
中心から少なくとも三方に分かれる三つ叉形状を備え、且つ、扁平形状を有したパスタ計量器本体と、
前記三つ叉形状の先端は、それぞれ手で持つ第1の持ち手部、第２の持ち手部、第３の持ち手部が形成され、
前記第1の持ち手部内にパスタの量を調節できる第1の穴が、前記第２の持ち手部内にパスタの量を調節できる第２の穴が、前記第３の持ち手部内にパスタの量を調節できる第３の穴が、それぞれ形成され、
前記第1の穴の大きさ、前記第２の穴の大きさ、前記第３の穴の大きさは、それぞれ異なる
ことを特徴とするパスタ計量器。
【請求項４】
中心から少なくとも三方に分かれる三つ叉形状を備え、且つ、扁平形状を有したパスタ計量器本体と、
前記三つ叉形状の先端は、それぞれ手で持つ第1の持ち手部、第２の持ち手部、第３の持ち手部が形成され、
前記第1の持ち手部内にパスタの量を調節できる第1の穴が、前記第２の持ち手部内にパスタの量を調節できる第２の穴が、前記第３の持ち手部内にパスタの量を調節できる第３の穴が、それぞれ形成され、
前記第1の穴の大きさ、前記第２の穴の大きさ、前記第３の穴の大きさは、それぞれ異なり、
前記パスタの挿入側の前記第1の穴の周縁部の下端部は、前記周縁部の略全体に亘って丸味を、
前記パスタの挿入側の前記第２の穴の周縁部の下端部は、前記周縁部の略全体に亘って丸味を、
前記パスタの挿入側の前記第３の穴の周縁部の下端部は、前記周縁部の略全体に亘って丸味を、
それぞれ有している
ことを特徴とするパスタ計量器。
【請求項５】
中心から三方に分かれる三つ叉形状を備え、且つ、扁平形状を有したパスタ計量器本体と、
前記三つ叉形状の先端は、それぞれ手で持つ第1の持ち手部、第２の持ち手部、第３の持ち手部を形成し、
前記第1の持ち手部内にパスタの量を調節できる第1の穴が、前記第２の持ち手部内にパスタの量を調節できる第２の穴が、前記第３の持ち手部内にパスタの量を調節できる第３の穴が、それぞれ形成され、
前記第1の穴の大きさ、前記第２の穴の大きさ、前記第３の穴の大きさは、それぞれ異なる
ことを特徴とするパスタ計量器。
【請求項６】
中心から三方に分かれる三つ叉形状を備え、且つ、扁平形状を有したパスタ計量器本体と、
前記三つ叉形状の先端は、それぞれ手で持つ第1の持ち手部、第２の持ち手部、第３の持ち手部が形成され、
前記第1の持ち手部内にパスタの量を調節できる第1の穴が、前記第２の持ち手部内にパスタの量を調節できる第２の穴が、前記第３の持ち手部内にパスタの量を調節できる第３の穴が、それぞれ形成され、
前記第1の穴の大きさ、前記第２の穴の大きさ、前記第３の穴の大きさは、それぞれ異なり、
前記パスタの挿入側の前記第1の穴の周縁部の下端部は、前記周縁部の略全体に亘って丸味を、
前記パスタの挿入側の前記第２の穴の周縁部の下端部は、前記周縁部の略全体に亘って丸味を、
前記パスタの挿入側の前記第３の穴の周縁部の下端部は、前記周縁部の略全体に亘って丸味を、
それぞれ有している
ことを特徴とするパスタ計量器。
【考案の詳細な説明】
【技術分野】
【０００１】
本考案は、パスタ計量器に係り、特に、使用勝手を向上させたパスタ計量器に関する。
【背景技術】
【０００２】
パスタの量を調節できるパスタ計量器がある（例えば、特許文献１参照）。
これは、半円形の穴の大きさを複数、例えば、４個設け、パスタの量を一人分、二人分、三人分、四人分と好みの量に調節できるようになっている。
【０００３】
しかしながら、上記のパスタ計量器にあっては、半円形の穴の大きさによって調節するため、半円形の穴より突出するパスタを手で調節しなければならず、包装袋を開封したパスタを片手で持ち、もう一方の片手でパスタ計量器を持ってパスタの量を調節しにくく、使用勝手が良好でないという問題点がある。
【特許文献１】意匠登録第１２４４５２５号公報
【考案の開示】
【考案が解決しようとする課題】
【０００４】
本考案は、上記問題点を除去するようにしたパスタ計量器を提供することを目的としている。
【課題を解決するための手段】
【０００５】
前記した目的を達成するための本考案のパスタ計量器は、中心から外側に向かう形状部を複数備え、且つ、扁平形状を有したパスタ計量器本体と、このパスタ計量器本体の中心から外側に向かう形状部の先端は、それぞれ手で持つ持ち手部が形成され、この持ち手部内には、パスタの量を調節できる穴がそれぞれ形成され、前記持ち手部内の穴は、それぞれ大きさが異なるものである。
【０００６】
また、請求項２記載のパスタ計量器は、中心から外側に向かう形状部を複数備え、且つ、扁平形状を有したパスタ計量器本体と、このパスタ計量器本体の中心から外側に向かう形状部の先端は、それぞれ手で持つ持ち手部が形成され、この持ち手部内には、パスタの量を調節できる穴がそれぞれ形成され、前記持ち手部内の穴は、それぞれ大きさが異なり、前記パスタの挿入側の全ての前記穴の周縁部の下端部は、前記周縁部の略全体に亘って丸味を有しているものである。
【０００７】
また、請求項３記載のパスタ計量器は、中心から少なくとも三方に分かれる三つ叉形状を備え、且つ、扁平形状を有したパスタ計量器本体と、前記三つ叉形状の先端は、それぞれ手で持つ第1の持ち手部、第２の持ち手部、第３の持ち手部が形成され、前記第1の持ち手部内にパスタの量を調節できる第1の穴が、前記第２の持ち手部内にパスタの量を調節できる第２の穴が、前記第３の持ち手部内にパスタの量を調節できる第３の穴が、それぞれ形成され、前記第1の穴の大きさ、前記第２の穴の大きさ、前記第３の穴の大きさは、それぞれ異なるものである。
【０００８】
また、請求項４記載のパスタ計量器は、中心から少なくとも三方に分かれる三つ叉形状を備え、且つ、扁平形状を有したパスタ計量器本体と、前記三つ叉形状の先端は、それぞれ手で持つ第1の持ち手部、第２の持ち手部、第３の持ち手部が形成され、前記第1の持ち手部内にパスタの量を調節できる第1の穴が、前記第２の持ち手部内にパスタの量を調節できる第２の穴が、前記第３の持ち手部内にパスタの量を調節できる第３の穴が、それぞれ形成され、前記第1の穴の大きさ、前記第２の穴の大きさ、前記第３の穴の大きさは、それぞれ異なり、前記パスタの挿入側の前記第1の穴の周縁部の下端部は、前記周縁部の略全体に亘って丸味を、前記パスタの挿入側の前記第２の穴の周縁部の下端部は、前記周縁部の略全体に亘って丸味を、前記パスタの挿入側の前記第３の穴の周縁部の下端部は、前記周縁部の略全体に亘って丸味を、それぞれ有しているものである。
【０００９】
また、請求項５記載のパスタ計量器は、中心から三方に分かれる三つ叉形状を備え、且つ、扁平形状を有したパスタ計量器本体と、前記三つ叉形状の先端は、それぞれ手で持つ第1の持ち手部、第２の持ち手部、第３の持ち手部を形成し、前記第1の持ち手部内にパスタの量を調節できる第1の穴が、前記第２の持ち手部内にパスタの量を調節できる第２の穴が、前記第３の持ち手部内にパスタの量を調節できる第３の穴が、それぞれ形成され、 前記第1の穴の大きさ、前記第２の穴の大きさ、前記第３の穴の大きさは、それぞれ異なるものである。
【００１０】
また、請求項６記載のパスタ計量器は、中心から三方に分かれる三つ叉形状を備え、且つ、扁平形状を有したパスタ計量器本体と、前記三つ叉形状の先端は、それぞれ手で持つ第1の持ち手部、第２の持ち手部、第３の持ち手部が形成され、前記第1の持ち手部内にパスタの量を調節できる第1の穴が、前記第２の持ち手部内にパスタの量を調節できる第２の穴が、前記第３の持ち手部内にパスタの量を調節できる第３の穴が、それぞれ形成され、前記第1の穴の大きさ、前記第２の穴の大きさ、前記第３の穴の大きさは、それぞれ異なり、前記パスタの挿入側の前記第1の穴の周縁部の下端部は、前記周縁部の略全体に亘って丸味を、前記パスタの挿入側の前記第２の穴の周縁部の下端部は、前記周縁部の略全体に亘って丸味を、前記パスタの挿入側の前記第３の穴の周縁部の下端部は、前記周縁部の略全体に亘って丸味を、それぞれ有しているものである。
【考案の効果】
【００１１】
請求項１記載のパスタ計量器によれば、大きさの異なる穴の内の適宜の穴を使用してパスタの調節をすることができ、しかも、包装袋を開封したパスタを片手で持ち、もう一方の片手でパスタの計量器を持ち、テーパー形状の傾斜部をパスタの側に向け、大きさの異なる穴の内の使用しない穴をパスタから離れる位置に待避させると共に、大きさの異なる穴の内の使用する適宜の穴をパスタに向かって移動させて使用することができ、使用勝手を向上させることができる。
【００１２】
また、請求項２記載のパスタ計量器によれば、大きさの異なる穴の内の適宜の穴を使用してパスタの調節をすることができ、しかも、包装袋を開封したパスタを片手で持ち、もう一方の片手でパスタの計量器を持ち、テーパー形状の傾斜部をパスタの側に向け、大きさの異なる穴の内の使用しない穴をパスタから離れる位置に待避させると共に、大きさの異なる穴の内の使用する適宜の穴をパスタに向かって移動すれば、前記適宜の穴の縁部の外側に位置するパスタは、穴の周縁部の下端部が、周縁部の略全体に亘って丸味を有しているため、前記丸味に当接して該穴の内又は外へと移動するため、使用勝手を向上させることができる。
【００１３】
また、請求項３又は５記載のパスタ計量器によれば、大きさの異なる第1の穴、第２の穴、第３の穴の内の適宜の穴を使用してパスタの調節をすることができ、しかも、包装袋を開封したパスタを片手で持ち、もう一方の片手でパスタ計量器を持ち、テーパー形状の傾斜部をパスタの側に向け、第1の穴、第２の穴、第３の穴の内の使用しない穴をパスタから離れる位置に待避させると共に、第1の穴、第２の穴、第３の穴の内の使用する適宜の穴をパスタに向かって移動させて使用することができ、使用勝手を向上させることができる。
【００１４】
また、請求項４又は６記載のパスタ計量器によれば、大きさの異なる第1の穴、第２の穴、第３の穴の内の適宜の穴を使用してパスタの調節をすることができ、しかも、包装袋を開封したパスタを片手で持ち、もう一方の片手でパスタ計量器を持ち、テーパー形状の傾斜部をパスタの側に向け、第1の穴、第２の穴、第３の穴の内の使用しない穴をパスタから離れる位置に待避させると共に、第1の穴、第２の穴、第３の穴の内の使用する適宜の穴をパスタに向かって移動すれば、前記第1の穴、第２の穴、第３の穴の内の適宜の穴の縁部の外側に位置するパスタは、穴の周縁部の下端部が、周縁部の略全体に亘って丸味を有しているため、前記丸味に当接して該穴の内又は外へと移動するため、使用勝手を向上させることができる。
【考案を実施するための最良の形態】
【００１５】
本考案の一実施例のパスタ計量器を図面を参照して説明する。
図１、図２、図９及び図１０において、１はパスタ計量器で、パスタ計量器１は、中心から外側に向かう形状部を複数備え、且つ、扁平形状を有したパスタ計量器本体１０を具備している。
パスタ計量器本体１０は、例えば、透明の合成樹脂で形成されている。
なお、上述の「中心から外側に向かう形状部を複数備え」は、例えば、図１に示すように、「中心から三方に分かれる三つ叉形状」である。
【００１６】
パスタ計量器本体１０の中心から外側に向かう形状部の先端には、それぞれ手で持つ持ち手部１１、１２、１３が形成され、これら持ち手部１１、１２、１３内には、パスタの量を調節できる穴１１ａ、１２ａ、１３ａが、それぞれ形成されている。
持ち手部内の穴１１ａ、１２ａ、１３ａは、それぞれ大きさが異なり、例えば、持ち手部１１内の穴１１ａはパスタの量が一人分、持ち手部１２内の穴１２ａはパスタの量が二人分、持ち手部１３内の穴１３ａはパスタの量が三人分となるように設定されている。
また、パスタ計量器本体１０の周縁部には、望ましくは、図３〜図５に示すように、パスタの挿入側の全ての穴１１ａ、１２ａ、１３ａの周縁部の下端部１１ｂ、１２ｂ、１３ｂは、前記周縁部の略全体に亘って丸味を有している。
本考案の丸味の形態は、図３〜図５に示すものに限定されるものではなく、例えば、図６〜図８に示すものでも良い。
【００１７】
従って、上述したパスタ計量器１によれば、図９及び図１０に示すように、大きさの異なる穴の内の適宜の穴[例えば、１２ａ・・・図１０参照]を使用してパスタの量を調節することができ、しかも、包装袋２０を開封したパスタ３０を片手で持ち、もう一方の片手でパスタ計量器１を持ち、穴１１ａ、１２ａ、１３ａの周縁部の下端部１１ｂ、１２ｂ、１３ｂをパスタ３０の側に向け、大きさの異なる穴の内の使用しない穴[例えば、１１ａ、１３ａ・・・図９参照]を、パスタ３０から離れる位置に待避させると共に、大きさの異なる穴の内の使用する適宜の穴[例えば、１２ａ・・・図９参照]をパスタ３０に向かって移動すれば、前記適宜の穴の縁部の外側に位置するパスタ３０は、第２の穴１２ａの周縁部の下端部１２ｂの丸味に当接して、第２の穴１２ａの内又は外へと移動するため、使用勝手を向上させることができる。
【００１８】
なお、上述した実施例においては、「中心から外側に向かう形状部を複数備え」として、図１に「中心から三方に分かれる三つ叉形状」を示したが、本考案にあっては、これに限らず、図１に示す「持ち手部１１、１２、１３」の内の何れか一つを省略しても良いし、また、一つ省略した場合、持ち手部を直線状に形成しても良いし、また、「中心から外側に向かう形状部」を三つ以上設けるようにしても良い。
【図面の簡単な説明】
【００１９】
【図１】図１は、本考案の一実施例のパスタ計量器の概略的平面図である。
【図２】図２は、図１の２ー２線による概略的断面図である。
【図３】図３は、図１の３ー３線による概略的拡大断面図である。
【図４】図４は、図１の４ー４線による概略的拡大断面図である。
【図５】図５は、図１の５ー５線による概略的拡大断面図である。
【図６】図６は、図３と異なる他の実施例の概略的拡大断面図である。
【図７】図７は、図４と異なる他の実施例の概略的拡大断面図である。
【図８】図８は、図５と異なる他の実施例の概略的拡大断面図である。
【図９】図９は、図１のパスタ計量器の使用状態の概略的斜視図である。
【図１０】図１０は、図１のパスタ計量器の第２の穴にパスタを通した状態を示す概略的斜視図である。
【符号の説明】
【００２０】
１     …パスタ計量器
１０   …パスタ計量器本体
１１   …持ち手部
１１ａ …穴
１２   …持ち手部
１２ａ …穴
１３   …持ち手部
１３ａ …穴
３０   …パスタ
【図１】
0003146363.tif 000003
【図２】
0003146363.tif 000004
【図３】
0003146363.tif 000005
【図４】
0003146363.tif 000006
【図５】
0003146363.tif 000007
【図６】
0003146363.tif 000008
【図７】
0003146363.tif 000009
【図８】
0003146363.tif 000010
【図９】
0003146363.tif 000011
【図１０】
0003146363.tif 000012